(57)【特許請求の範囲】
【請求項１】
上部に円形状の開口が形成され外周にはボトルキャップが螺着するネジ部が形成されてなる円筒状の開口部と、この開口部の下方に形成され内部には水が収容されるとともに使用者が手指で押圧することにより撓む素材で成形されてなる水収容部とを有してなるボトル本体内に投入される水素発生剤収納体であって、
この水素発生剤収納体は、非透水性を有し、且つ透湿性及びガス透過性を有するフィルム状又はシート状の素材により袋状に成形された袋体と、この袋体の内部に収納され、上記ボトル本体の水収容部内に収容された水の水蒸気と反応することにより水素ガスを発生する水素発生剤と、上記袋体の内部に収納された空気と、を備えてなり、
上記袋体は、上記ボトル本体の高さ方向に長さを有するとともに、該袋体の幅は、上記ボトル本体の開口部の内径よりも短い幅となされ、且つ、上記水収容部内に収容された水に浸漬される前及び水に浸漬され少なくとも水素ガスの発生が継続している間においては、該水収容部内に収容された水の比重よりも低いものとされてなることを特徴とする水素発生剤収納体。
【請求項２】
前記袋体の長さは、前記ボトル本体内の幅又は内径よりも長いものとされてなることを特徴とする請求項１記載の水素発生剤収納体。
【請求項３】
前記袋体内に収容された水素発生剤の量は、該袋体の容量に対して６０％以下とされてなることを特徴とする請求項１又は２記載の何れかの水素発生剤収納体。
【請求項４】
前記袋体内に収容された水素発生剤の量は、前記ボトル本体の容量に対して０．１〜０．３％とされてなることを特徴とする請求項１，２又は３記載の何れかの水素発生剤収納体。
【請求項５】
前記請求項１，２，３又は４記載の何れかに係る複数の水素発生剤収納体と、
上部に円形状の開口が形成され外周にはボトルキャップが螺着するネジ部が形成されてなる円筒状の開口部と、この開口部の下方に形成され内部には水が収容されるとともに使用者が手指で押圧することにより撓む素材で成形されてなる水収容部とを有してなるボトル本体と、上記ネジ部に螺着され上記開口を閉塞する上記ボトルキャップと、を備えたボトルと、を有してなるとともに、
上記複数の水素発生剤収納体は、遮光性及びガスバリア性を有するフィルムにより袋状又は箱状に成形され開口を有する包材内に収納され、上記開口は開閉可能とされてなることを特徴とする水素水生成セット。
【発明の詳細な説明】
【技術分野】
【０００１】
本発明は、高濃度な水素水を誰でも手軽に得ることができる水素発生剤収納体及びこの水素発生剤収納体と水が収容されるボトルとが収納された水素水生成セットに関するものである。
【背景技術】
【０００２】
水素ガスは、人体に吸引されることにより体内において発生した活性酸素、特に老化を促進したり各種の疾患の原因となったりする活性酸素を消去する等の機能があり、近年こうした水素ガスの効能に注目が集まっている。そして、こうした効能を有する水素水は、飲料水として広く市販されているばかりではなく、水素水を生成する器具等も開発され販売されている。上記器具としては、例えば、特許第４６５２４７９号公報に開示されたものが提案されている。
【先行技術文献】
【特許文献】
【０００３】
【特許文献１】特許第４６５２４７９号公報
【発明の概要】
【発明が解決しようとする課題】
【０００４】
しかしながら、上記市販された水素水では、水素ガスの溶存量は極めて少量であり、上記水素ガスの機能を大きく期待することができず、また、各種の容器に封入された時点における水素ガスの溶存量がある程度高い場合であっても、水素分子は非常に小さいため、時間が経過するに従い該水素ガスの溶存量は徐々に低下してしまうことから、高濃度の水素水を飲用することは困難である。すなわち、水素水の生成直後においては水素ガスの溶存量がある程度高い場合であっても、ボトルなどの容器に封入され、出荷され、店頭に並び、その後に使用者が購入して飲用に供する際には、もはや水素ガスの溶存量は大きく低下している場合が多く、上記水素ガスの機能に期待を持つことはできない。
【０００５】
一方、上記特許第４６５２４７９号公報に開示された器具は、水素水が生成された直後に飲用に供することができることから、水素水の飲用により水素ガスの機能を期待することはできるが、その反面、水と水素発生剤との反応により発生した水素ガスを外部に排気した後に閉じる開閉式の弁を有する気液分離部を特別に製造しなければならず、その結果、使用者には水素水を生成する際に面倒な作業が要求されるばかりか、上記気液分離部の製造コストが高額になるため、使用者が負担すべき購入価格を安価にすることができず、毎日のように継続的に飲用されるに適した水素水を広く普及させることには大きな限界がある。
【０００６】
そこで、本発明は、上述した従来の発明が有する課題を解決するために提案されたものであって、高濃度の水素水を極めて簡便に且つ安価に生成することができる水素発生剤収納体及び水素水生成セットを提供することを目的とするものである。
【課題を解決するための手段】
【０００７】
本発明は、上記課題を解決するために提案されたものであって、第１の発明（請求項１記載の発明）は、上部に円形状の開口が形成され外周にはボトルキャップが螺着するネジ部が形成されてなる円筒状の開口部と、この開口部の下方に形成され内部には水が収容されるとともに使用者が手指で押圧することにより撓む素材で成形されてなる水収容部とを有してなるボトル本体内に投入される水素発生剤収納体であって、この水素発生剤収納体は、非透水性を有し、且つ透湿性及びガス透過性を有するフィルム状又はシート状の素材により袋状に成形された袋体と、この袋体の内部に収納され、上記ボトル本体の水収容部内に収容された水の水蒸気と反応することにより水素ガスを発生する水素発生剤と、上記袋体の内部に収納された空気と、を備えてなり、上記袋体は、上記ボトル本体の高さ方向に長さを有するとともに、該袋体の幅は、上記ボトル本体の開口部の内径よりも短い幅となされ、且つ、上記水収容部内に収容された水に浸漬される前及び水に浸漬され少なくとも水素ガスの発生が継続している間においては、該水収容部内に収容された水の比重よりも低いものとされてなることを特徴とするものである。
【０００８】
この第１の発明に係る水素発生剤収納体は、ボトル本体内に水と共に投入・浸漬されるものであって、該ボトル本体内に充填・収容された水の水蒸気と水素発生剤との反応により発生した水素ガスが該水に溶解することにより水素水を生成するものである。上記ボトル本体は、上部に円形状の開口が形成され外周にはボトルキャップが螺着するネジ部が形成されてなる円筒状の開口部と、この開口部の下方に形成され内部には水が収容されるとともに使用者が手指で押圧することにより撓む素材で成形されてなる水収容部とを有してなるものであり、代表的な例は、これまで清涼飲料が収納されているペットボトルである。また、この発明に係る水素発生剤収納体は、袋体と、水素発生剤とからなり、この袋体は、非透水性を有し、且つ透湿性及びガス透過性を有するフィルム状又はシート状の素材により袋状に成形されたものである。そして、さらにこの発明に係る水素発生剤収納体を構成する上記袋体は、上記ボトル本体の高さ方向に長さを有するとともに、該袋体の幅は、上記ボトル本体の開口部の内径よりも短い幅となされている。そして、この発明に係る水素発生剤収納体全体の比重は、上記水収容部内に収容された水に浸漬される前及び水に浸漬され少なくとも水素ガスの発生が継続している間においては、、該水収容部内に収容された水の比重よりも低いものとされている。
【０００９】
なお、この発明に係る水素発生剤収納体が投入されるボトルとして、上記ペットボトルを例に挙げて、該水素発生剤収納体を使用することにより水素水を製造する方法について説明すると、先ず、上記ペットボトル内に、例えば水道水を上記開口近傍まで収容し、次いで、上記水素発生剤収納体を投入し、この水素発生剤収納体の投入が終了すると、次いで、上記ボトルキャップをボトル本体の開口部に螺着させることにより開口を閉塞する。すると、上記ボトル本体の水収容部内に収容された水道水は水蒸気となって、この水素発生剤収納体を構成する袋体を通過し、該袋体内に収容された水素発生剤と反応することにより、水素ガスが発生する。そして、この水素ガスは、袋体内で充満するとともに該水素ガスが所定の圧力に達すると、やがて該袋体内から外部に放出され上記水道水内に溶解する。また、こうした水素ガスが所定量水道水に溶解した後又は溶解途中において、該水素ガスによるボトル本体内における内圧は上昇し、水素ガスの一部は水道水の水面上に上昇し、この結果該水道水の液面を下降させる。なお、上記ボトル本体内に投入された直後における水素発生剤収納体は、上端が上記ボトルキャップの下面に当接した状態となり、その後、上述したように、上昇した水素ガスが水道水の水面をその圧力により下降させた場合には、該水面よりも上方に位置している（浮遊している）。これは、本発明に係る水素発生剤収納体（袋体）内には、水素発生剤以外に空気も封入されており、また該水素発生剤から発生した水素ガスが発生した場合には、該水素ガスも含まれているからである。
【００１０】
そして、上記ボトルキャップにより開口を閉塞した時点から所定時間が経過した後に、上記水素ガスが溶解した水道水（以下、水素水という。）を飲用等に使用する場合には、上記ボトルを良く振り、液面上に貯留された水素ガスを更に水素水に溶解させる。この際、本発明に係る水素発生剤収納体は、上記ボトルの高さ方向に長さ方向に長さを有するとともに、該水素発生剤収納体の幅は、上記ボトルの開口の内径から上記水収容部内に挿入可能な幅とされ、さらに、該ボトルの水収容部内に収容された水の比重よりも低いものとされてなることから、上記ボトル本体内において反転することはあっても、常に端部はボトルキャップに近い場所に位置している。次いで、上記キャップを螺退させながら上記開口部から取り除く。この場合、このボトル本体を構成する水収容部を手指で摘まむ等することにより、上記水素水の液面を上昇させると、該水素水に浮遊している水素発生剤収納体も上昇し、やがてその上端は、上記開口から上方に突出した状態となることから、使用者はこの開口から上方に突出した部位を摘まんで外部に取り出すことができる。
【００１１】
なお、上記方法・要領により水素水を生成・製造する際、使用する水は水道水以外に、お茶やミネラルウォーター等の清涼飲料であっても良いし、また、これらの清涼飲料を含めた水の温度は特に限定されることはないが、常温よりもやや高温（ぬるま湯程度）の水を使用することにより、水蒸気が発生し易く、ひいては水素水を短時間で生成・製造することが可能となる。但し、市販されているペットボトルに充填される水の温度は４０度が限界とされていることから、上記温度以下の水を使用することが望ましい。
【００１２】
したがって、この第１の発明に係る水素発生剤収納体によれば、高濃度の水素水を極めて簡便且つ安価に生成することができる。特に、この水素発生剤収納体は、特別な開閉式の弁等は一切構成要素とされていないので、使用者には水素水を作る際に面倒な作業が要求されることはなく、また、製造コストも極めて安価であるとともに使用者が負担すべき購入価格を大幅に低減させることができる。また、この発明に係る水素発生剤収納体を用いて水素水を生成・製造する際には、上記ボトルが必要となるが、このボトルは特別な構造・構成を備えたものではなく、市場では清涼飲料が充填され汎用されているボトルであることから容易に入手することができ、この点からも、使用者は極めて安価に水素水を飲用等に供することができる。
【００１３】
またさらに、この発明に係る水素発生剤収納体は、使用者が飲用等する所定時間前に上述した方法・要領により水素水を簡便に製造することができ、従来の水素水のように工場において多量に製造・生産され、出荷され、店頭に並び、使用者が購入して飲用等するという過程を経るものではないことから、製造時点から時間が経過するに従い該水素ガスの溶存量は徐々に低下してしまう等といったことがなく、使用者は常に高濃度の水素水を飲用することが可能となる。すなわち、この発明に係る水素発生剤収納体によれば、使用者は、毎日のように、高濃度の水素水を極めて安価且つ簡便に生成・製造し飲用することが可能となる。
【００１４】
なお、上記発明に係る水素発生剤収納体を構成する袋体は、先に説明したように、非透水性を有し、且つ透湿性及びガス透過性を有するフィルム状又はシート状の素材により袋状に成形されたものであり、例えば、ポリプロピレンと有機フィラーとにより構成された多孔質フィルムや、マイクロポーラスフィルム等を使用することができる。また、上記袋体内に収容された水素発生剤としては、例えば、水素化リチウム、水素化カリウム、水素化カルシウム、水素化アルミニウムナトリウム、水素化アルミニウムリチウム、又は水素化マグネシウム等の水素化金属や、鉄、アルミニウム、マグネシウム、カルシウム等の金属、或いは、水素化ホウ素化合物等の金属水素錯化合物などを挙げることができ、これらの物質を複合して用いても良い。また、上記袋体内には、上記水素発生剤以外に水素発生反応促進剤を併せて添加しても良い。
【００１５】
また、第２の発明（請求項２記載の発明）は、上記第１の発明において、前記袋体の長さは、前記ボトル本体内の幅又は内径よりも長いものとされてなることを特徴とするものである。
【００１６】
この第２の発明に係る水素発生剤収納体では、前記袋体の長さは、前記ボトル本体内の幅又は内径（直径）よりも長いものとされてなることから、ボトル本体内において該水素発生剤収納体の一端と他端とが互いに反転する危険性や、ボトル本体内に収容された水に浮遊した際に水平な状態となり、該水素発生剤収納体を該ボトル本体の開口から使用者が摘まんで容易に取り出せなくなることが防止できる。換言すれば、この第２の発明では、袋体が上記構成であることから、ボトル本体内に対して先に水素発生剤収納体を投入した際には、該ボトル本体の幅又は内径にも依るが、少なくともボトル本体の底板上に水平な状態となることはなく、必ず傾斜した状態・姿勢となる。このように、水素発生剤収納体がボトル本体において傾斜した状態・姿勢となることにより、該水素発生剤収納体内に封入された水素発生剤は、その自重により袋体内において下方に落下する。この状態において、ボトル本体内に水を投入・充填した場合であっても、水圧によりその姿勢は多少変化するとしても、必ず水素発生剤が位置する側が下方となり、その反対側は上端となった姿勢が大きく変化することはなく、水の比重よりも低い水素発生剤収納体全体は、そのまま水面の上昇に伴って上昇し、ボトル本体内が水で満たされた状態となると、水素発生剤収納体の上端は、該ボトル本体の開口から上方に突出した状態で浮遊する。他方、ボトル本体内に対して先に水を投入・充填する場合には、水素発生剤収納体の幅は、該ボトル本体の開口の幅よりも短いものとされてなることから、水素発生剤収納体は鉛直方向又はそれに近い姿勢となり、この姿勢により袋体内に封入された水素発生剤はその自重により下方に落下する。したがって、ボトル本体内に投入された水素発生剤収納体は、ボトル本体内においても水面付近において鉛直方向又はそれに近い姿勢が保持される。そして、こうしたボトル本体内における水素発生剤収納体の姿勢は、水素ガスが発生した後の状態においても変わらない。したがって、この第２の発明に係る水素発生剤収納体によれば、ボトル本体内に水と水素発生剤収納体の投入順序の前後に拘わらず、水素発生剤収納体の上端は、水（水素水）の水面よりも常に水面よりも上端がやや上昇した状態で浮遊することとなる。したがって、この水素発生剤収納体を取り出す場合には、ボトル本体を手指で内側に押圧することにより水素水の水面を上昇させることにより、上記水素水に浮遊した水素発生剤収納体の上端は、ボトル本体の開口よりも上方に突出することとなるので、使用者は、該水素発生剤収納体の上端を指で摘まむ等して、水素水に直接触れることなく容易に外部に取り出すことが可能となる。
【００１７】
また、第３の発明（請求項３記載の発明）は、上記第１又は第２の発明の何れかにおいて、前記袋体内に収容された水素発生剤の量は、該袋体の容量に対して６０％以下とされてなることを特徴とするものである。
【００１８】
この第３の発明では、前記袋体内に収容された水素発生剤の量は、該袋体の容量に対して６０％以下（袋体の容量に対する水素発生剤の占有率が６０％以下）とされてなることから、ボトルキャップを外して、ボトル本体内に投入されていた水素発生剤収納体を容易に取り出すことが可能となる。すなわち、本願発明の発明者は、水素発生剤の量と袋体の幅をそれぞれ一定とし、該袋体の長さを適宜変えることによって該袋体の容量を変化させ、それぞれの水素発生剤収納体を容易に取り出すことが可能か否かを判定した。この結果は、以下の表１に示す通りである。
【００１９】
【表１】
0006480802.tif 000002
【００２０】
上記表１の結果からも明らかなように、袋体の容量に対する水素発生剤の占有率が６３％となると、袋体全体の比重が水素水の比重よりも高くなり、上記ボトル本体を構成する水収容部を使用者が手指で摘まむ等して、上記水素水の液面を開口付近まで上昇させた場合でも、水素発生剤収納体の端部（上端）を摘まむことは不能となり、容易に該水素発生剤収納体を取り出すことはできない。
【００２１】
また、第４の発明（請求項３記載の発明）は、上記第１、第２又は第３の発明の何れかにおいて、前記袋体内に収容された水素発生剤の量は、前記ボトル本体の容量に対して０．１〜０．３％とされてなることを特徴とするものである。
【００２２】
この第４の発明に係る水素発生剤収納体によれば、前記袋体内に収容された水素発生剤の量は、前記ボトル本体の容量に対して０．１〜０．３％とされてなることから、上記ボトル内において水素水を製造する際において、高濃度の水素水を製造することができるとともに、水素発生剤と水蒸気との反応により該ボトル内における内圧が過度に上昇することにより、該ボトルが破損することがなく、安心して使用することができる。すなわち、市販のペットボトル、特に炭酸水用ペットボトルの耐圧性は、６０７．９５ｋｐａ（６気圧程度）であるところ、本願発明の発明者は、適宜水素発生剤の量を変えて、水素発生剤収納袋の投入時点から２４時間経過後におけるペットボトルの内圧をそれぞれ測定した。この結果、水素発生剤の量は、前記ボトル本体の容量に対して０．１〜０．３％が最も適正であることが判明した。すなわち、水素発生剤の量がボトル本体の容量に対して０．１％未満である場合には、ボトル本体内において生成される水素水の濃度が低く、水素水の飲用による水素ガスの効用を期待できない。他方、ボトル本体の容量に対して０．３％を超えれば上記市販のペットボトルの耐圧基準を上回ることとなることが判明した。したがって、この第３の発明によれば、高濃度の水素水を安心して製造することができる。
【００２３】
また、第５の発明（請求項５記載の発明）は、水素水生成セットに係るものであって、前記第１、第２、第３又は第４の発明の何れかの発明に係る複数の水素発生剤収納体と、上部に円形状の開口が形成され外周にはボトルキャップが螺着するネジ部が形成されてなる円筒状の開口部と、この開口部の下方に形成され内部には水が収容されるとともに使用者が手指で押圧することにより撓む素材で成形されてなる水収容部とを有してなるボトル本体と、上記ネジ部に螺着され上記開口を閉塞する上記ボトルキャップと、を備えたボトルと、を有してなるとともに、上記複数の水素発生剤収納体は、遮光性及びガスバリア性を有するフィルムにより袋状又は箱状に成形され開口を有する包材内に収納され、上記開口は開閉可能とされてなることを特徴とするものである。
【００２４】
この第５の発明に係る水素水生成セットは、上述した第１、第２、第３又は第４の発明の何れかの発明に係る複数の水素発生剤収納体と、ボトルと、上記水素発生剤収納体が収納された包材とを備え、上記包材は、遮光性を有するフィルムにより袋状又は箱状に成形され開口を有するとともに、上記開口は開閉可能とされてなることから、使用者は、ボトルを独自で用意する必要性がない。また、先に説明した要領により簡便に高濃度の水素水を製造・生成することができるばかりではなく、上記複数の水素発生剤収納体が収納された包材は、遮光性及びガスバリア性を有するフィルムにより袋状又は箱状に成形され開口を有する包材内に収納され、上記開口は開閉可能とされてなることから、それぞれの水素発生剤の機能が時間的経過により劣化し、水との反応に伴う水素発生量が減少してしまう危険性を回避することができる。
【００２５】
なお、上記遮光性及びガスバリア性を有するフィルムは、例えば、ポリエステル系樹脂、ポリアミド系樹脂、ポリアラミド系樹脂、ポリオレフィン系樹脂、ポリカーボネート系樹脂、ポリスチレン系樹脂、ポリアセタール系樹脂、フッ素系樹脂等の樹脂のフィルムに対して、例えば、酸化アルミニウム、酸化珪素、酸化マグネシウム等を蒸着させたものを使用することができる。
【発明の効果】
【００２６】
上記第１の発明（請求項１記載の発明）に係る水素発生剤収納体によれば、高濃度の水素水を極めて簡便に且つ安価に生成することができる。特に、この水素発生剤収納体は、特別な開閉式の弁等は一切構成要素とされていないので、使用者には水素水を作る際に面倒な作業が要求されることはなく、また、製造コストも極めて安価であるとともに使用者が負担すべき購入価格を大幅に低減させることができる。また、この発明に係る水素発生剤収納体を用いて水素水を製造する際には、上記ボトルが必要となるが、このボトルは特別な構造・構成を備えたものではなく、市場では清涼飲料が充填された汎用されているボトルであることから容易に入手することができ、この点からも、使用者は極めて安価に水素水を飲用等に用いることができる。
【００２７】
また、第２の発明（請求項２記載の発明）に係る水素発生剤収納体では、前記袋体の長さは、前記ボトル本体内の幅又は内径よりも長いものとされてなることから、ボトル本体内において該水素発生剤収納体の一端と他端とが互いに反転する危険性や、ボトル本体内に収容された水に浮遊した際に水平な状態となってしまい、該水素発生剤収納体を該ボトル本体の開口から使用者が指で摘まんで容易に取り出せなくなることが防止できる。
【００２８】
また、第３の発明（請求項３記載の発明）では、前記袋体内に収容された水素発生剤の量は、該袋体の容量に対して６０％以下（袋体の容量に対する水素発生剤の占有率が６０％以下）とされてなることから、ボトルキャップを外して、ボトル本体内に投入されていた水素発生剤収納体を容易に取り出すことが可能となる。
【００２９】
また、第４の発明（請求項４記載の発明）に係る水素発生剤収納体によれば、前記袋体内に収容された水素発生剤の量は、前記ボトル本体の容量に対して０．１〜０．３％とされてなることから、上記ボトル内において水素水を製造する際において、高濃度の水素水を製造することができるとともに、水素発生剤と水蒸気との反応により該ボトル内における内圧が過度に上昇することにより、該ボトルが破損することがなく、安心して使用することができる。
【００３０】
また、第５の発明（請求項５記載の発明）に係る水素水生成セットによれば、使用者は、ボトルを独自で用意する必要性がない。また、先に説明した要領により簡便に高濃度の水素水を製造・生成することができるばかりではなく、上記複数の水素発生剤収納体が収納された包材は、遮光性及びガスバリア性を有するフィルムにより袋状又は箱状に成形され開口を有する包材内に収納され、上記開口は開閉可能とされてなることから、それぞれの水素発生剤の機能が時間的経過により劣化し、水との反応に伴う水素発生量が減少してしまう危険性を回避することができる。
【図面の簡単な説明】
【００３１】
【図１】水素水生成セットを模式的に示す斜視図である。
【図２】水素発生剤収納体の外観を一部破断して示す斜視図である。
【図３】ペットボトル内に水素発生剤収納体を投入する状態を模式的に示す断面図である。
【図４】ボトル本体内に水道水を収容する状態を模式的に示す断面図である。
【図５】ボトル本体内に投入された水素発生剤収納体の上端がボトル本体の開口から突出している状態を模式的に示す断面図である。
【図６】ボトル本体にボトルキャップを装着した状態を模式的に示す断面図である。
【図７】図６に示す状態から所定時間経過した後の状態を模式的に示す断面図である。
【図８】ボトルキャップを外し、液面を上昇させた状態を模式的に示す断面図である。
【図９】ボトル本体から水素発生剤収納体を取り除いた後の状態を模式的に示す断面図である。
【発明を実施するための形態】
【００３２】
以下、本発明を実施するための最良の形態に係る水素水生成セットについて図面を参照しながら詳細に説明する。
【００３３】
この実施の形態に係る水素水生成セット１は、図１に示すように、スティック収納袋２と、ボトル３とから構成され、これらスティック収納袋２と及びボトル３は包装材４内に収納されている。上記スティック収納袋２は、本発明を構成する包材であり、アルマイト処理され遮光性及びガスバリア性を有するシート(符号は省略する。)により、袋状に成形されてなるものであり、一端側には開口２ａが形成され、該開口２ａには、該開口２ａを開閉自在とする封入部２ｂが形成されている。そして、このスティック収納袋２内には、本発明である水素発生剤収納体５が複数個収納されている。
【００３４】
これらの水素発生剤収納体５は、図２に示すように、長方形状に成形されてなる袋体６と、この袋体６内に収納されてなる水素発生剤７とから構成されている。上記袋体６は、非透水性を有し、且つ透湿性及びガス透過性を有するフィルム状又はシート状の素材により袋状に成形されたものであり、この実施の形態では、ポロプロピレンと有機フィラーとにより構成された多孔質フィルム層と、熱溶着層とからなるものであり、この熱溶着層が三カ所で加熱されることにより袋状に成形されてなるものである。また、上記袋体６内には、水素化リチウム、水素化カリウム、水素化カルシウム、水素化アルミニウムナトリウム、水素化アルミニウムリチウム、又は水素化マグネシウム等の水素化金属からなる水素発生剤と、酸化カルシウム、水酸化カルシウム等の水素発生反応促進剤が封入されている。また、この水素発生剤収納体５は、後述するボトル本体８の高さ方向と同じ方向に長さ方向に長さを有してなるとともに、該ボトル本体８の内径よりも長い長さとされ、また、その幅は、該ボトル本体８に形成された開口８ｃの直径よりも短いものとされている。なお、この実施の形態に係る水素発生剤収納体５では、上記水素発生剤７は水素発生反応促進剤も含めて１ｇが封入され、その他は空気とされている。
【００３５】
一方、上記ボトル３は、市販されているペットボトルであり、図１に示すように、ボトル本体８とボトルキャップ９とから構成されている。上記ボトル本体９は、ポリエチレンテレフタレート（ＰＥＴ）を素材とするものであり、内部に水が収容される水収容部８ａと、この水収容部８ａの上部に形成された円筒状の開口部８ｂとから構成され、この開口部８ｂの上部は外気と開放された開口８ｃとされてなるとともに該開口部８ｂの外周には一方のネジ部(符号は省略する。)が形成されている。また、上記ボトルキャップ９は、上記開口８ｃを閉塞する円盤状の閉塞板部９ａと、この閉塞板部９ａの外周から垂下してなる円筒部９ｂとから構成され、この円筒部９ｂの内周には、上記一方のネジ部に螺着される他方のネジ部９ｃが形成されている。なお、この実施の形態に係るボトル９は、５００ｍｌの水が収容できるタイプのボトルであり、後述するように、上記ボトル本体８を構成する水収容部８ａは、使用者が手指で内側に押圧することにより撓む。
【００３６】
以下、上述した本実施の形態に係る水素水生成セット１を用いて水素水を製造・生成する方法について、順を追って説明する。
【００３７】
先ず、上記スティック収納袋２と上記ボトル３とを包装材４内から取り出し、上記ボトル本体８からボトルキャップ９を取り外し、また、上記スティック収納袋２から１つの水素発生剤収納体５を取り出す。そして、この水素発生剤収納体５を上記開口８ｃから、図３中矢印で示すように、ボトル本体８内に投入する。なお、このように、水素発生剤収納体５をボトル本体８内に投入する際には、該水素発生剤収納体５を鉛直方向又はそれに近い状態とされることから、該水素発生剤収納体５内に封入された水素発生剤は、袋体内においてその自重により下方に移動・落下し、そのままボトル本体８の底に位置することとなる。また、この水素発生剤収納体５の長さは、ボトル本体８の内径よりも長い長さを有してなることから、ボトル本体８の底上に水平に位置することにはならない。
【００３８】
こうした水素発生剤収納体５の投入が終了すると、次いで、図４に示すように、上記ボトル本体８の水収容部８ａ内への水道水Ｗの充填を開始する。こうした水道水Ｗの充填により、水収容部８ａ内に収容された水道水Ｗが徐々に増加すると、上記水素発生剤収納体５はボトル本体８の高さ方向とほぼ同じかそれに近い姿勢となるとともに、水道水Ｗの水面の上昇により、該水素発生剤収納体５の上端は、水道水Ｗの水面よりもやや上方に突出した状態となり、さらに水道水Ｗが、ボトル本体８内が一杯となるまで充填されると、図５に示すように、上記水素発生剤収納体５の上端は、上記ボトル本体８の上端よりもさらに上方に突出した状態となる。こうした現象は、水道水Ｗの比重よりも上記水素発生剤収納体５全体の比重が低いとともに、袋体６内に封入した（水素発生反応促進剤も含めた）水素発生剤７は水道水Ｗの比重よりも高く、該（水素発生反応促進剤も含めた）水素発生剤７はその自重により袋体６内において下方に落下するからである。すなわち、水素発生剤収納体５全体の比重は、水道水Ｗの比重よりも低いことから、水道水Ｗの水面に浮遊するとともに、袋体６内に封入された（水素発生反応促進剤も含めた）水素発生剤７はその自重により下方に落下・移動していることから、該（水素発生反応促進剤も含めた）水素発生剤７が位置する側が下端となり、その反対側が上端となった状態で、その上端が水道水Ｗの水面よりも突出した状態で浮遊する。この結果、上記ボトル本体８内が水道水Ｗで満たされると、図５に示すように、上記水素発生剤収納体５の上端は、該ボトル本体８の上端よりもやや上方に位置することとなる。
【００３９】
そして、上述したように、水道水Ｗの充填が終了すると、次いで、上記ボトルキャップ９を上記開口部８ｂに装着（螺着）させる。なお、このようにボトルキャップ９をボトル本体８に装着する際には、上記ボトルキャップ９の閉塞板部９ａにより、上記ボトル本体８の上端よりもやや上方に位置した水素発生剤収納体５の上端を下方に押圧するが、同時に、図６に示すように、上記ボトル本体８の外周を内側に押圧することにより、該ボトル本体８内の水道水Ｗを僅かに排出しながらボトルキャップ９を装着し、ボトル本体８内の空気を除去することが好ましい。
【００４０】
こうしたボトルキャップ９の装着により、ボトル本体８の通気性は遮断されるとともに、上記水道水Ｗは水蒸気となって上記袋体６内に侵入し、この水蒸気と水素発生剤７とが反応することにより袋体６内において水素ガスが発生する。そしてさらに所定時間が経過すると、この水素ガスは、上記袋体６内において充満した後、さらに該袋体６を通過して水道水Ｗ内に溶解し、６〜２４時間が経過すると、該水道水Ｗはやがて水素水Ｈとなる。このとき、ボトル本体８の内圧は大きく上昇しているとともに、図７に示すように、該ボトル本体８内の水素水Ｈの水面は、水道水Ｗを充填した時点における水面よりも下方に位置し、水素水Ｈの水面上には、水素ガス溜まりが発生する。この場合において、上記水素発生剤収納体５の上端は、水素水Ｈの上面よりも上方に突出している。
【００４１】
こうした状態において、使用者は、ボトル３全体を上下又は回転させる等することによって撹拌し、さらに水素ガスを水素水Ｈに溶解させ、水素ガスの溶存量を高めることが望ましい。そして、こうした撹拌作業が終了すると、それまで装着されていたボトルキャップ９をボトル本体８から取り外し、また、該ボトル本体８を手指により内側に押圧することにより、ボトル本体８内に収容されている水素水Ｈの水面を上昇させる。こうした操作により、それまでボトル本体８の開口よりも下方に位置していた水素発生剤収納体５の上端は、図８に示すように、ボトル本体８の上端よりも上方に移動することから、使用者は生成された水素水Ｈに直接触れることなく、使用した水素発生剤収納体５を指で摘まむ等して容易に取り出すことができる。このように水素発生剤収納体５の取出し作業が終了すると、図９に示すように、ボトル本体８内には、水素水Ｈが収容された状態となり、使用者はそのまま該水素水Ｈを飲用に供しても良いし、図示しないコップ等の容器に移しかえて飲用しても良い。
【００４２】
以上の実施の形態に係る水素水生成セット１の説明からも明らかな通り、本発明に係る水素発生剤収納体によれば、高濃度の水素水を極めて簡便に且つ安価に生成することができることから、毎日のように高濃度の水素水を飲用することができる。また、この発明に係る水素発生剤収納体５によれば、ボトル本体８内において生成された水素水Ｈに直接触れることなく極めて簡単に使用した水素発生剤収納体５をボトル本体８から取り出すことができる。
【００４３】
なお、上記水素水生成セット１を用いた水素水の生成方法では、ボトル本体８内に対して、先に水素発生剤収納体５を投入し、その後に水道水Ｗを充填したが、言うまでもなく、先に水道水Ｗをボトル本体８内に充填した後に、水素発生剤収納体５を投入しても良い。また、ボトル本体８内に充填する水は、上記水道水Ｗに限定されることなく、お茶、清涼飲料水、果実飲料等であっても良い。またさらに、水の温度は常温であっても良いばかりか、常温よりも多少温度が高い水を使用することも可能であり、こうした高い温度の水を使用することにより、水蒸気が袋体６を通過する速度が早くなり、水素水Ｈを短時間に生成することが可能となる。
【符号の説明】
【００４４】
１  水素水生成セット
２  スティック収納袋
２ａ  開口
２ｂ  封入部
３  ボトル
５  水素発生剤収納体
６  袋体
７  水素発生剤
８  ボトル本体
８ａ  水収容部
８ｂ  開口部
９  ボトルキャップ
Ｗ  水道水
Ｈ  水素水
【図１】
0006480802.tif 000003
【図２】
0006480802.tif 000004
【図３】
0006480802.tif 000005
【図４】
0006480802.tif 000006
【図５】
0006480802.tif 000007
【図６】
0006480802.tif 000008
【図７】
0006480802.tif 000009
【図８】
0006480802.tif 000010
【図９】
0006480802.tif 000011